(57)【特許請求の範囲】
【請求項１】
楽曲再生装置、ホストサーバ、およびリモコン端末を互いに通信可能に備える楽曲検索システムにおいて、
カラオケルーム内を撮影する撮影手段と、
前記撮影手段が撮影した映像に基づいて、カラオケルーム内に居るユーザの人数を表す人数情報および年齢に関係する年齢情報を含むユーザ関連情報を抽出する第１抽出手段と、
ユーザが前記楽曲再生装置を利用している時間に関する時間情報を取得する取得手段と、
ユーザの人数および年齢と、楽曲再生装置の利用時間とに基づいてあらかじめ定められた複数の利用形態情報にそれぞれ対応する複数の楽曲リストを記憶する記憶手段と、
前記ユーザ関連情報および前記時間情報の組み合わせに基づいて、前記複数の利用形態情報のうちから１つの利用形態情報を抽出する第２抽出手段と、
前記第２抽出手段によって抽出された前記利用形態情報に対応付けられた楽曲リストを表示するための楽曲関連情報を他の利用形態情報に対応付けられた楽曲リストを表示するための楽曲関連情報よりも優先して表示手段に表示させるための表示制御手段と、
を備えることを特徴とする楽曲検索システム。
【請求項２】
前記利用形態情報は少なくともユーザの年齢層を表す情報を含み、
前記年齢情報は少なくともユーザの年齢層を表す情報を含み、
前記第１抽出手段は、
カラオケルーム内に居る複数のユーザの年齢の上限と下限とによって前記年齢情報を定め、
前記第２抽出手段は、
前記年齢情報と前記利用形態情報が含む年齢層を表す情報との一致度が高い前記利用形態情報を抽出することを特徴とする請求項１に記載の楽曲検索システム。
【請求項３】
前記楽曲関連情報は、前記複数の利用形態情報の各利用形態情報に対応付けられた楽曲リストを表示させるためのリスト表示ボタンを表す情報、または、複数の前記リスト表示ボタンを表示するためのジャンル表示ボタンを表す情報であり、
前記表示制御手段は、前記第２抽出手段により抽出された前記利用形態情報に対応付けられた楽曲リストを表示するためのリスト表示ボタンを前記ジャンル表示ボタンの表示領域に表示させることを特徴とする請求項１または請求項２に記載の楽曲検索システム。
【請求項４】
前記年齢情報は少なくともユーザの年齢層を表す情報を含み、
前記リスト表示ボタンは、前記年齢情報が表す年齢層が広いほど広い前記リスト表示ボタンの表示領域に表示され、前記年齢情報が表す年齢層が狭いほど狭い前記リスト表示ボタンの表示領域に表示されることを特徴とする請求項３に記載の楽曲検索システム。
【請求項５】
前記リスト表示ボタンは、前記人数情報が表す人数が多いほど広い前記リスト表示ボタンの表示領域に表示され、前記人数情報が表す人数が少ないほど狭い前記リスト表示ボタンの表示領域に表示されることを特徴とする請求項３または請求項４に記載の楽曲検索システム。
【請求項６】
楽曲再生装置のコンピュータに、
カラオケルーム内を撮影手段に撮影させる撮影ステップと、
前記撮影ステップにより撮影された映像に基づいて、カラオケルーム内に居るユーザの人数を表す人数情報および年齢に関係する年齢情報を含むユーザ関連情報を抽出する第１抽出ステップと、
ユーザが前記楽曲再生装置を利用している時間に関する時間情報を取得する取得ステップと、
ユーザの人数および年齢と、楽曲再生装置の利用時間とに基づいてあらかじめ定められ、複数の楽曲リストが対応付けられた複数の利用形態情報のうちから、前記ユーザ関連情報および前記時間情報の組み合わせに基づいて、１つの利用形態情報を抽出する第２抽出ステップと、
前記第２抽出手段によって抽出された前記利用形態情報に対応付けられた楽曲リストを表示するための楽曲関連情報を他の利用形態情報に対応付けられた楽曲リストを表示するための楽曲関連情報よりも優先して表示手段に表示させる表示制御ステップと、
を実行させることを特徴とする楽曲検索プログラム。
【発明の詳細な説明】
【技術分野】
【０００１】
本発明は、ユーザの利用形態に合わせて楽曲リストを簡単に表示することを可能にする楽曲検索システムに関する。
【背景技術】
【０００２】
従来のカラオケ装置では、歌唱者は、楽曲名、または歌手名などを基に歌唱したい楽曲を検索し、検索結果のリストから本当に歌いたい曲を選択し歌唱することが可能である。また、楽曲をジャンルごとに分類したリストから検索を行うジャンル検索、地域ごとの楽曲を集めたリストから検索を行う地域検索など様々な検索方法がある。
【０００３】
特許文献１に記載のカラオケ楽曲選曲システムは、選曲に際してジャンル検索を行う場合に、カラオケ装置が設置された店舗の営業形態に応じて、好んで歌唱されるジャンルに属する楽曲を効率よく速やかに選曲することが可能である。
【０００４】
特許文献２に記載のカラオケ演奏管理システムは、ユーザの登録者ＩＤに関連づけられた所定の情報に従って楽曲のリストファイルを作成し、カラオケ端末で表示できる。
【先行技術文献】
【特許文献】
【０００５】
【特許文献１】特開２０１１−７５７６０号公報
【特許文献２】特開２００６−９８８３２号公報
【発明の概要】
【発明が解決しようとする課題】
【０００６】
特許文献１に記載のカラオケ楽曲選曲システムは、カラオケ装置群で楽曲が演奏される毎に楽曲に設定されたジャンルフラグに基づいて演奏度数を集計し、演奏度数に従ってジャンル選択ボタンを優先的に表示させる。しかし、同一のカラオケ装置群または同一のカラオケ装置であってもカラオケ装置を利用するユーザは様々であり、ユーザ毎に利用形態も異なる。つまり、カラオケ装置群毎に特定の利用形態が決められてしまうと、その特定の利用形態と異なる利用形態で歌唱しようとするユーザにとっては、歌唱したいジャンルとは異なるジャンルが優先されて表示される可能性がある。
【０００７】
また、カラオケルーム内の複数のユーザの利用形態を判断するために、ユーザ一人一人に情報を入力させる、または特許文献２に記載のシステムのように登録者ＩＤを入力するためのログイン操作をユーザにさせることが考えられるが、ユーザには操作の手間がかかる。また、人数が多いほどログイン操作のために時間がかかる。
【０００８】
本発明は、上述する問題を解決するために、ユーザに手間をかけさせず、ユーザの利用形態に合わせて楽曲を簡単に表示することを可能にする楽曲検索システムを提供することを目的とする。
【課題を解決するための手段】
【０００９】
この目的を達成するために、本発明の楽曲検索システムは、楽曲再生装置、ホストサーバ、およびリモコン端末を互いに通信可能に備える楽曲検索システムにおいて、カラオケルーム内を撮影する撮影手段と、前記撮影手段が撮影した映像に基づいて、カラオケルーム内に居るユーザの人数を表す人数情報および年齢に関係する年齢情報を含むユーザ関連情報を抽出する第１抽出手段と、ユーザが前記楽曲再生装置を利用している時間に関する時間情報を取得する取得手段と、ユーザの人数および年齢と、楽曲再生装置の利用時間と、に基づいてあらかじめ定められた複数の利用形態情報にそれぞれ対応する複数の楽曲リストを記憶する記憶手段と、前記ユーザ関連情報および前記時間情報の組み合わせに基づいて、前記複数の利用形態情報のうちから１つの利用形態情報を抽出する第２抽出手段と、前記第２抽出手段によって抽出された前記利用形態情報に対応付けられた楽曲リストを表示するための楽曲関連情報を他の利用形態情報に対応付けられた楽曲リストを表示するための楽曲関連情報よりも優先して表示手段に表示させるための表示制御手段と、を備えることを特徴とする。
【００１０】
本発明の楽曲検索システムにおいて、前記利用形態情報は少なくともユーザの年齢層を表す情報を含み、前記年齢情報は少なくともユーザの年齢層を表す情報を含み、前記第１抽出手段は、カラオケルーム内に居る複数のユーザの年齢の上限と下限とによって前記年齢情報を定め、前記第２抽出手段は、前記年齢情報と前記利用形態情報が含む年齢層を表す情報との一致度が高い前記利用形態情報を抽出することを特徴とする。
【００１１】
本発明の楽曲検索システムにおいて、前記楽曲関連情報は、前記複数の利用形態情報の各利用形態情報に対応付けられた楽曲リストを表示させるためのリスト表示ボタンを表す情報、または、複数の前記リスト表示ボタンを表示するためのジャンル表示ボタンを表す情報であり、前記表示制御手段は、前記第２抽出手段により抽出された前記利用形態情報に対応付けられた楽曲リストを表示するためのリスト表示ボタンを前記ジャンル表示ボタンの表示領域に表示させることを特徴とする。
【００１２】
本発明の楽曲検索システムにおいて、前記年齢情報は少なくともユーザの年齢層を表す情報を含み、前記リスト表示ボタンは、前記年齢情報が表す年齢層が広いほど広い前記リスト表示ボタンの表示領域に表示され、前記年齢情報が表す年齢層が狭いほど狭い前記リスト表示ボタンの表示領域に表示されることを特徴とする。
【００１３】
本発明の楽曲検索システムにおいて、前記リスト表示ボタンは、前記人数情報が表す人数が多いほど広い前記リスト表示ボタンの表示領域に表示され、前記人数情報が表す人数が少ないほど狭い前記リスト表示ボタンの表示領域に表示されることを特徴とする。
【００１４】
本発明の楽曲検索プログラムは、楽曲再生装置のコンピュータに、カラオケルーム内を撮影手段に撮影させる撮影ステップと、前記撮影ステップにより撮影された映像に基づいて、カラオケルーム内に居るユーザの人数を表す人数情報および年齢に関係する年齢情報を含むユーザ関連情報を抽出する第１抽出ステップと、ユーザが前記楽曲再生装置を利用している時間に関する時間情報を取得する取得ステップと、ユーザの人数および年齢と、楽曲再生装置の利用時間とに基づいてあらかじめ定められ、複数の楽曲リストが対応付けられた複数の利用形態情報のうちから、前記ユーザ関連情報および前記時間情報の組み合わせに基づいて、１つの利用形態情報を抽出する第２抽出ステップと、前記第２抽出手段によって抽出された前記利用形態情報に対応付けられた楽曲リストを表示するための楽曲関連情報を他の利用形態情報に対応付けられた楽曲リストを表示するための楽曲関連情報よりも優先して表示手段に表示させる表示制御ステップと、を実行させることを特徴とする。
【発明の効果】
【００１５】
本発明の楽曲検索システムまたはプログラムは、第２抽出手段または第２抽出ステップによって抽出された前記利用形態情報に対応付けられた楽曲リストを表示するための楽曲関連情報を他の利用形態情報に対応付けられた楽曲リストを表示するための楽曲関連情報よりも優先して表示手段に表示させる。これにより、ユーザに手間をかけさせず、ユーザの利用形態に合わせて楽曲を簡単に表示することを可能にする。
【００１６】
本発明の楽曲検索システムにおいて、利用形態情報は少なくともユーザの年齢層を表す情報を含み、年齢情報は少なくともユーザの年齢層を表す情報を含み、第１抽出手段は、カラオケルーム内に居る複数のユーザの年齢の上限と下限とによって年齢情報を定め、第２抽出手段は、年齢情報と利用形態情報が含む年齢層を表す情報との一致度が高い前記利用形態情報を抽出する。これにより、ユーザに手間をかけさせず、ユーザの利用形態に合わせて楽曲を簡単に表示することを可能にする。
【００１７】
また、本発明の楽曲検索システムにおいて、楽曲関連情報は、複数の利用形態情報の各利用形態情報に対応付けられた楽曲リストを表示させるためのリスト表示ボタンを表す情報、または、複数のリスト表示ボタンを表示するためのジャンル表示ボタンを表す情報であり、表示制御手段は、第２抽出手段により抽出された利用形態情報に対応付けられた楽曲リストを表示するためのリスト表示ボタンをジャンル表示ボタンの表示領域に表示させる。ユーザの利用形態に合わせてリスト表示ボタンがジャンル表示ボタンの表示領域に表示されることから、複数のリスト表示ボタンの中からユーザ所望のリストに対応するリスト表示ボタンを探すための操作回数が減らされ、ユーザの手間が軽減される。これにより、ユーザに手間をかけさせず、ユーザの利用形態に合わせて楽曲リストを簡単に表示することを可能にする。
【００１８】
また、本発明の楽曲検索システムにおいて、年齢情報は少なくともユーザの年齢層を表す情報を含み、リスト表示ボタンは、年齢情報が表す年齢層が広いほど広いリスト表示ボタンの表示領域または広いジャンル表示ボタンの表示領域に表示され、年齢情報が表す年齢層が狭いほど狭いリスト表示ボタンの表示領域または狭いジャンル表示ボタンの表示領域に表示される。これにより、年齢層が広い場合には、複数のユーザが楽しむことができるように、幅広い年齢層の人がいる場合の楽曲リストを表示することを可能にするだけでなく、広い表示領域に大きくリスト表示ボタンを表示し、ユーザに対して視覚的に強調することができる。これにより、ユーザに手間をかけさせず、ユーザの利用形態に合う楽曲を簡単に表示することを可能にする。
【００１９】
また、本発明の楽曲検索システムにおいて、リスト表示ボタンは、人数情報が表す人数が多いほど広いリスト表示ボタンの表示領域または広いジャンル表示ボタンの表示領域に表示され、人数情報が表す人数が少ないほど狭いリスト表示ボタンの表示領域または狭いジャンル表示ボタンの表示領域に表示される。これにより、人数が多い場合には、複数のユーザが楽しむことができるように、楽曲を予約するための１人当たりの操作時間を短くすることができる。特に人数が多い場合は、広い表示領域にリスト表示ボタンを大きく表示することにより、ユーザに対して視覚的に強調することができる。これにより、ユーザに手間をかけさせず、ユーザの利用形態に合う楽曲を簡単に表示することを可能にする。
【図面の簡単な説明】
【００２０】
【図１】本発明の一実施形態に係る楽曲検索システムを表すブロック図である。
【図２】本発明の一実施形態におけるカラオケ用ホスト３のＨＤＤ３１が記憶するデータベースを表す図である。
【図３】本発明の一実施形態における利用形態情報の特定方法を表す図である。
【図４】利用形態情報とデータベースとの対応関係を表す図である。
【図５】楽曲検索システムの表示変更処理を表すフローチャートである。
【図６】楽曲検索システムのリモコン装置に表示される複数の表示形態を表す図である。
【発明を実施するための形態】
【００２１】
以下、本発明の実施の形態について図面を参照して説明する。
［楽曲検索システムの電気的構成］
楽曲検索システムの電気的構成について図１を参照して説明する。図１は、本発明の一実施形態に係る楽曲検索システムを表すブロック図である。楽曲検索システムは、楽曲再生装置１、リモコン装置２、およびカラオケ用ホスト３を互いに通信可能に備える。
【００２２】
［楽曲再生装置１の構成の説明］
楽曲再生装置１は、制御部１００と、ＨＤＤ１１０と、操作部１２０と、スピーカ１３０と、モニタ１４０と、カメラ１５０と、マイク１６０と、通信部１７０と、インターフェイス部１８０と、を備える。制御部１００は、ＣＰＵと、ＲＯＭと、ＲＡＭと、を備え、各種処理を実行する。制御部１００が実行する処理の内容については後述する。ＨＤＤ１１０は、各種情報を記憶する。具体的には、スピーカ１３０に発音させる楽曲の伴奏音を含む楽曲情報と、モニタ１４０に表示される映像を表す映像情報と、カメラ１５０により撮影された画像を表す画像情報と、後述するカラオケ用ホスト３から送られる各種データベースとを記憶する。操作部１２０は、ユーザによる操作を受け付けて、操作に対応する操作指令を制御部１００に送る。マイク１６０はユーザの演奏を電気信号に変換する。通信部１７０は、楽曲再生装置１とリモコン装置２との間で情報を送受信する。インターフェイス部１８０は、楽曲再生装置１をネットワーク５００に接続し、楽曲再生装置１とカラオケ用ホスト３との間で情報を送受信する。
【００２３】
［リモコン装置２の構成の説明］
リモコン装置２は、制御部２００と、ＨＤＤ２１０と、表示部２４０と、通信部２７０と、無線ＬＡＮ通信部２８０と、を備える。制御部２００は、ＣＰＵと、ＲＯＭと、ＲＡＭと、を備え、各種処理を実行する。制御部２００が実行する処理の内容については後述する。ＨＤＤ２１０は、各種情報を記憶する。具体的には、ＨＤＤ２１０は、表示部２４０に表示される映像を表すリモコン映像情報と、リモコン装置で実行される様々なアプリケーションと、を記憶する。また、ＨＤＤ２１０は、カラオケ用ホスト３から送られる、楽曲リスト表示ボタンおよびジャンル表示ボタンなどの表示切り替えボタンの画像を表すリモコン画像情報と、広告の動画および画像を表す広告情報と、を記憶する。操作部２２０は、ユーザの操作を受け付けるためのタッチパネル、またはスイッチを備える。操作部２２０は、ユーザによる操作を受け付けて、操作に対応する操作指令を制御部１００に送る。表示部２４０は、ＨＤＤ２１０に記憶されるリモコン映像情報、画像情報、および広告情報に従って画像を表示する。通信部２７０は、楽曲再生装置１とリモコン装置２との間で情報を送受信する。無線ＬＡＮ通信部２８０は、リモコン装置２をネットワーク５００に接続するためのアクセスポイント４００とリモコン装置２との間において情報を送受信する。リモコン装置２は、一例としてカラオケ用リモコン装置であるナビ、リモコン用アプリケーションがインストールされたユーザのスマートフォン、または、リモコン用アプリケーションがインストールされたタブレット端末である。
【００２４】
［カラオケ用ホスト３の構成の説明］
カラオケ用ホスト３は、ＨＤＤ３１を備え、カラオケ用の様々なデータベースおよび情報を記憶する。具体的には、楽曲情報と、再生履歴データベース（以下再生履歴ＤＢと記す。）と、利用形態データベース（以下、利用形態ＤＢと記す。）と、楽曲リストと、リモコン画像情報と、を記憶する。楽曲情報は楽曲再生装置１によって再生される楽曲の伴奏音を表す。再生履歴ＤＢは、再生された楽曲の楽曲情報について、再生された時点におけるユーザの利用形態と再生された楽曲の楽曲識別情報とが対応付けられたデータベースである。利用形態ＤＢは、特定の利用形態を時期、時間、人数、年齢層、および性別によって定義するデータベースである。楽曲リストは、利用形態ＤＢによって定義される特定の利用形態において再生された複数の楽曲の楽曲情報を集めたリストである。リモコン画像情報は、楽曲リスト表示ボタンおよびジャンル表示ボタンを表す画像の情報である。ＨＤＤ３１が記憶する様々なデータベース、および情報は、新たな情報が追加される度にネットワーク５００を介して楽曲再生装置１およびリモコン装置２に送られる。
【００２５】
図２は、カラオケ用ホスト３のＨＤＤ３１が記憶するデータベースを表す図である。図２（Ａ）は、再生履歴ＤＢを表す。再生履歴ＤＢにおいては、楽曲識別情報としての選曲番号２００１に、時期２００２、時間２００３、人数２００４、年齢層２００５、性別２００６、および再生回数２００７が対応付けられている。図２（Ｂ）は、利用形態ＤＢを表す。利用形態ＤＢにおいては、利用形態毎にあらかじめ定められたデータベースジャンル名２０１１（以下、ＤＢジャンル名と記す。）に、時期２０１２、時間２０１３、人数２０１４、年齢層２０１５、および性別２０１６が対応付けられている。図２に示されるＤＢジャンル名２０１１は、一例として、忘年会（会社）、忘年会（友人２０代）、忘年会（友人３０代）、ママ会、夏休み、クリスマス（デート）、および女子会などの、行事に関する利用形態を表す。
【００２６】
［顔認証によるユーザ関連情報の抽出処理］
楽曲再生装置１の制御部１００が実行する人数、年齢層、性別を含むユーザ関連情報の抽出処理について、図３を参照して説明する。画像３００１は、楽曲再生装置１に備えられた、カメラ１５０によって撮影されたカラオケルーム内の画像である。制御部１００は、画像３００１を表す情報をカメラ１５０から受け、人の顔を表す情報を認識して、抽出する。一例として、制御部１００は、人の顔に含まれる目と、鼻と、口とを検出し、人か否かを判断し、人であると判断した場合、顔部分に該当する画像３００１を切り出す。画像３００１において、制御部１００は、人であると判断されたユーザＹ１〜Ｙ１０までの１０人の顔画像３００２を切り出す。制御部１００は、切り出した顔画像３００２の数により、ユーザの人数を特定する。
【００２７】
次に制御部１００は、切り出した顔画像３００２から年齢層、および性別を表す情報を抽出する。以下一例としてユーザＹ１の顔画像３００２について説明する。制御部１００は、顔画像３００２に含まれる、目と、鼻と、口との位置関係および大きさに関する情報３００３を抽出する。制御部１００は、抽出した情報３００３から、性別、および年齢層を推定する。上記の顔認証によるユーザ関連情報の抽出処理としては、特許第４５４４３６３号公報などに記載される公知の顔認証の処理を用いることができる。
【００２８】
［利用形態情報の抽出処理］
制御部１００は、ユーザ関連情報の抽出処理により１０人分のユーザ関連情報を抽出すると、ユーザ関連情報と時間情報とから利用形態情報を抽出する。制御部１００は、画像３００１が撮影された時点における時期、および時間の情報を含む時間情報とユーザ関連情報とから、利用形態情報を生成する。図４は利用形態情報の抽出処理について説明する図である。以下、図４を参照して説明する。まず、画像認識結果４００２は、各ユーザのユーザ関連情報を表す。制御部１００は、画像認識結果４００２に含まれるユーザ関連情報の年齢層を比較し、年齢層の上限と下限とを決定する。図４においては、画像認識結果４００２の１人目の男性が５０歳〜６０歳であり、ユーザの年齢層の上限なので全体の年齢層の上限が６０歳と決められる。また、上から２人目の女性、または、上から６人目の男性が２０歳〜３０歳であり、ユーザの年齢層の下限なので全体の年齢層の下限が２０歳と決められる。また、制御部１００は、画像認識結果４００２に含まれるユーザ関連情報の性別を男女別に数える。図４においては、男性８人、女性２人である。
【００２９】
時間情報は、図３に示される画像情報３００１を撮影した時点の時期と時間とを含む。図４に示される撮影時間４００３には、撮影時点は１２月１５日の２０：２８であると記録されている。時間情報に含まれる時期および時間は、所定の期間ごとに定められる。一例として図４においては、利用形態情報４００５に示されるように、時期は月ごとに定められ、時間は１時間ごとに区切られる。画像認識結果４００２および時間情報４００３に基づいて、制御部１００は人数１０人、男性８人、女２人、年齢層２０歳から６０歳、時期１２月、および、時間２０：００〜２１：００と利用形態情報４００５を抽出する。
【００３０】
［表示変更処理の説明］
ユーザの利用形態に合わせて楽曲リストを表示部２４０に表示する処理について図５を参照して説明する。図５は、楽曲検索システムの表示変更処理を表すフローチャートである。表示変更処理は、楽曲再生装置１の制御部１００、リモコン装置２の制御部２００、およびカメラ１５０によって実行される。表示変更処理は、楽曲再生装置１およびリモコン装置２の電源が入れられ、楽曲再生装置１およびリモコン装置２が互いに通信可能な状態となることで開始される。
【００３１】
ステップＳ２０１では、制御部２００は利用形態特定指示を楽曲再生装置１に送る。リモコン装置２の操作部２２０がユーザによる操作を受け付ける。ユーザによる操作内容の一例としては、リモコン装置２が一定時間操作されない場合、制御部２００は、スリープモードになる。スリープモードの一例としては、制御部２００は、表示部２４０の表示を消す。スリープモードに設定されている状態において、スリープモードを解除する操作をユーザが行った場合、制御部２００は、スリープモードを解除し、利用形態特定指示を生成する。ユーザによる操作を受け付けると、リモコン装置２は、楽曲再生装置１に、利用形態特定指示を送る。利用形態特定指示は、ユーザに合わせた表示形態を特定するための処理を楽曲再生装置１に実行させる指示である。利用形態特定指示が送られると、処理はステップＳ２０２へと移される。リモコン装置２においては、新たな表示形態が特定されるまで、通常の表示画面が表示される。一例として、標準状態の表示の形態は、図６の（Ａ）の表示形態であって、図６の（Ａ）の表示形態が表示部２４０に表示される。
【００３２】
ステップＳ２０２では、制御部１００は利用形態特定指示を受けて撮影指示をカメラ１５０に送る。制御部１００は、利用形態特定指示を受けると、カメラ１５０にカラオケルーム内の状況を撮影させる撮影指示をカメラ１５０に送る。制御部１００は、カメラ１５０に撮影指示を送ると、時間情報を生成する。制御部１００は、撮影指示を送った撮影時間として時期、および時間の情報を時間情報としてＨＤＤ１１０に記憶する。制御部１００は、撮影指示および時間情報の生成を終えると、ステップＳ２０４において撮影された画像の情報が送られるまで待機する。
【００３３】
ステップＳ２０３では、カメラ１５０はカラオケルーム内の撮影を行う。また、ステップＳ２０４ではステップＳ２０３でカメラ１５０が撮影した画像の情報をカメラ１５０から制御部１００に送る。カメラ１５０は、制御部１００から送られる撮影指示に従ってカラオケルーム内の画像を撮影する。カメラ１５０により撮影された画像の情報は、制御部１００に送られる。画像の情報が制御部１００に送られると、制御部１００はステップＳ２０５の処理を実行する。
【００３４】
ステップＳ２０５では、制御部１００はカメラ１５０から送られた画像の画像認識を行う。ステップＳ２０５において制御部１００が実行する画像認識処理は、前述の顔認証によるユーザ関連情報の抽出処理、および利用形態情報の抽出処理を含む処理である。制御部１００は、利用形態情報を抽出すると、処理をステップＳ２０６に移す。
【００３５】
ステップＳ２０６では、ＤＢジャンル名が取得される。制御部１００は、利用形態情報を抽出すると、抽出した利用形態情報に一致するＤＢジャンル名を利用形態ＤＢから取得する。一致とは、利用形態ＤＢに含まれる時期２０１２、時間２０１３、人数２０１４、年齢層２０１５、および性別２０１６の各項目として設定された数値の範囲に、抽出した利用形態情報が含む時期などの各項目として設定された数値の範囲が含まれる場合である。複数のＤＢジャンル名が制御部１００によって取得される場合、制御部１００は、それぞれの数値の範囲が最も近い状態にあるＤＢジャンル名を１つ取得する。図４に示した利用形態情報、および使用形態ＤＢの場合、制御部１００は、ＤＢジャンル名としては、「忘年会（会社）」を取得する。制御部１００は、ＤＢジャンル名を取得すると、ステップＳ２０７に処理を移す。
【００３６】
ステップＳ２０７では、制御部１００はＤＢジャンル名をリモコン装置２に送る。制御部１００は、ステップＳ２０６で取得されたＤＢジャンル名をリモコン装置２に送ると、利用形態特定指示によって開始した処理を終了する。
【００３７】
ステップＳ２０８では、制御部２００はリモコン装置２の表示部２４０の表示の形態を変更する。ＤＢジャンル名が制御部２００に送られると、制御部２００は送られたＤＢジャンル名に対応する楽曲リスト表示ボタンをトップ画面のジャンル表示ボタンを表示する表示領域に表示する。表示の形態は、図６を参照して後述する。制御部２００は、ＤＢジャンル名を受けて表示の形態を変更すると、表示変更処理を終了する。
【００３８】
［表示形態の説明および各表示形態の効果］
表示の形態について、図６を参照して説明する。図６は、リモコン装置２を起動すると表示部２４０に最初に表示されるＴＯＰ画面の様々な表示の形態を表す。表示の形態は、ＴＯＰ画面のジャンル表示ボタン６００７と、ランキング表示ボタン６００８と、本人映像ボタン６００９と、を表示する表示領域に、表示変更処理において取得されたＤＢジャンル名に対応する楽曲リスト表示ボタンを表示する形態である。標準状態の表示の形態は、図６の（Ａ）の第１表示形態であり、第１表示形態が表示部２４０に表示される。以下、様々な表示形態と、表示の形態が表示される条件とについて、例示する。表示されるリスト表示ボタンはステップＳ２０６の処理において制御部１００によって抽出されたＤＢジャンル名に対応するリスト表示ボタンである。
【００３９】
［第１表示形態］
図６の（Ａ）に示される第１表示形態は、標準状態の表示の形態における表示部２４０の表示状態を表す。表示部２４０には、ＴＯＰボタン６００１と、演奏停止ボタン６００２と、リモコンボタン６００３と、曲名検索ボタン６００４と、歌手名検索ボタン６００５と、採点ボタン６００６と、ジャンル表示ボタン６００７と、ランキング表示ボタン６００８と、本人映像ボタン６００９と、ログインボタン６０１０と、ログアウトボタン６０１１と、マイルームボタン６０１２と、広告動画６０１３と、広告バナー６０１４と、が表示される。ジャンル表示ボタン６００７、ランキング表示ボタン６００８、および本人映像ボタン６００９、などの各ボタンを表す画像の枠の大きさは、それぞれの表示領域の大きさを表す。
【００４０】
ＴＯＰボタン６００１は、図６の（Ａ）から（Ｄ）に示される第１表示形態から第４表示形態のいずれかの表示形態を表示させるためのボタンである。演奏停止ボタン６００２は、楽曲再生装置１が再生する楽曲の再生を停止させる再生終了指示を楽曲再生装置１に送るためのボタンである。リモコンボタン６００３は、表示部２４０の表示を楽曲再生装置１の操作用のリモートコントローラの表示に変更するためのボタンである。リモートコントローラの表示は、従来のカラオケ用リモコンに準ずる。曲名検索ボタン６００４は、曲名により楽曲を検索する処理を開始するためのボタンである。歌手名検索ボタン６００５は、歌手名により楽曲を検索する処理を開始するためのボタンである。採点ボタン６００６は、ユーザによる楽曲演奏を採点するか否かを決定するボタンである。ジャンル表示ボタン６００７、ランキング表示ボタン６００８、および本人映像ボタン６００９は、様々なジャンル、ランキング、および楽曲の形式ごとに楽曲を集めた楽曲リストを表示するための楽曲リスト表示ボタンを、表示部２４０に表示させるためのボタンである。ログインボタン６０１０は、ログイン処理を開始するためのボタンである。ログアウトボタン６０１１は、ログアウト処理を開始するためのボタンである。マイルームボタン６０１２は、ログイン処理によりログインしたユーザの個人情報を表示するためのボタンである。広告動画６０１３は、広告情報を表示するための表示領域であり、その表示領域に広告の動画が表示される。広告バナー６０１４は、広告情報を表示するための表示領域であり、その表示領域に広告の画像が表示される。
【００４１】
［第２表示形態］
図６の（Ｂ）に示される第２表示形態では、ステップＳ２０８において図６の（Ａ）に示されるジャンル表示ボタン６００７、ランキング表示ボタン６００８、および本人映像表示ボタン６００９の３つの表示切り替えボタンの全ての表示領域に、ステップＳ２０６で取得されたＤＢジャンル名に対応する楽曲リスト表示ボタン６０２０が表示される。
【００４２】
ＤＢジャンル名を取得するステップＳ２０６において、利用形態情報とジャンルＤＢのＤＢジャンル名に対応付けられた情報とが完全に一致するＤＢジャンル名が取得される場合、ステップＳ２０８において、制御部１００は、第２表示形態で楽曲リスト表示ボタン６０２０を表示する。一例として、ＤＢジャンル名を取得するステップＳ２０６の処理において、ＤＢジャンル名に対応付けられた情報と利用形態情報が含む情報とが完全に一致する場合、ステップＳ２０８において、制御部２００は、第２表示形態で楽曲リスト表示ボタン６０２０を表示する。つまり、ステップＳ２０５で抽出された利用形態情報が図４の利用形態情報４００５であって、利用形態ＤＢからＤＢジャンル名「忘年会（会社）」が取得される場合、制御部２００は、第２表示形態で楽曲リスト表示ボタン６０２０を表示部２４０に表示する。ユーザの利用形態である「忘年会（会社）」に合った楽曲リストを容易に閲覧できることをユーザに対して視覚的に強調することができる。
【００４３】
また、ＤＢジャンル名を取得するステップＳ２０６の処理において、カラオケルーム内に居る人数が多いと制御部１００に判断された場合、ステップＳ２０８において、制御部１００は、図６の（Ｂ）に示される第２表示形態で楽曲リスト表示ボタン６０２０を表示する。つまり、制御部１００がカラオケルーム内に居る人数が多いと判断した場合、利用形態情報と利用形態ＤＢの情報との一致度の程度によらず、制御部２００は、取得されたＤＢジャンル名を第２表示形態で表示する。一例として、カラオケルーム内に居る人数が１０人以上である場合、制御部１００は、カラオケルーム内に居る人数が多いと判断する。判断結果に従って、制御部２００は、第２表示形態で楽曲リスト表示ボタン６０２０を表示部２４０に表示する。つまり、ステップＳ２０５で抽出された利用形態情報が図４の利用形態情報４００５であって、利用形態ＤＢからＤＢジャンル名「忘年会（会社）」が取得される場合、利用形態情報４００５と、利用形態ＤＢのＤＢジャンル名に対応付けられた情報との一致度に関係なく、制御部２００は、第２表示形態で「忘年会（会社）」に対応する楽曲リスト表示ボタン６０２０を表示する。ユーザは利用形態に近い楽曲リストを容易に閲覧でき、楽曲リストからすぐに楽曲を選ぶことができる。１人当たりの選曲時間を短くすることができるため、より多くの人がカラオケを楽しむことができる。
【００４４】
また、ＤＢジャンル名を取得するステップＳ２０６の処理において、制御部１００がカラオケルーム内に居る人の年齢層の幅が広いと判断した場合、ステップＳ２０８では、図６の（Ｂ）に示される第２表示形態で楽曲リスト表示ボタン６０２０を表示する。一例として年齢の上限と下限とが３０年以上離れている場合を年齢層が広いとすると、ステップＳ２０５において、図４に示される利用形態情報４００５が抽出された場合、年齢層は２０歳から６０歳であって年齢層は広いと判断される。そしてステップＳ２０６において利用形態ＤＢからＤＢジャンル名「忘年会（会社）」が取得されると、制御部２００は第２表示形態で忘年会（会社）に対応する楽曲リスト表示ボタンを表示する。これにより、特定の利用形態においてよく利用される定番の曲、または、特定の利用形態になじみの深い楽曲がすぐに表示されることで、歌唱者だけでなく聞き手も知っている曲を聴くことができ、カラオケルーム内にいる人がより楽しむことができる。
【００４５】
［第３表示形態］
図６の（Ｃ）に示される第３表示形態では、図６の（Ａ）に示されるランキング表示ボタン６００８の画像を表示する表示領域に、ステップＳ２０６で取得されたＤＢジャンル名に対応する楽曲リスト表示ボタン６０２１が表示される。
【００４６】
ＤＢジャンル名を取得するステップＳ２０６の処理において、利用形態情報とジャンルＤＢのＤＢジャンル名に対応付けられた情報との一致度が低いＤＢジャンル名が取得される場合、ステップＳ２０８では、制御部１００は、図６の（Ｃ）に示される第３表示形態で楽曲リスト表示ボタン６０２１を表示する。
【００４７】
一例として、ステップＳ２０５において抽出された利用形態情報は、図４に示される利用形態情報４００５とする。ＤＢジャンル名を取得するステップＳ２０６の処理において、利用形態ＤＢとして「忘年会（会社）」がない場合、ＤＢジャンル名に対応付けられた情報と利用形態情報が含む情報とが完全に一致するＤＢジャンル名はない。そのため、「忘年会（友人３０代）」または「忘年会（友人２０代）」が一番近いＤＢジャンル名として取得される。しかし、利用形態情報４００５と忘年会（友人３０代）とに対応付けられた年齢層の情報とが示す値の範囲、または利用形態情報４００５と忘年会（友人２０代）とに対応付けられた年齢層の情報とが示す値の範囲には、大きく差がある。このように比較した２つの情報の範囲に大きく差があって一致度が低い場合、ステップＳ２０８において、制御部２００は、図６の（Ｃ）に示される第３表示形態で楽曲リスト表示ボタン６０２１を表示部２４０に表示する。ユーザの利用形態に一致するＤＢジャンル名に対応付けられた情報と利用形態情報が含む情報との一致度が低い場合、ユーザの利用形態に一致する利用形態情報が、利用形態ＤＢに無い利用形態である可能性がある。つまり、制御部１００が取得したＤＢジャンル名に対応する信頼性の低い楽曲リストを表示させる場合には、制御部２００は、第３表示形態で楽曲リスト表示ボタン６０２１を表示部２４０に表示する。ジャンル表示ボタン６００７が表示されることによりユーザ所望のジャンルによって検索を行い易いように表示できる。
【００４８】
また、ＤＢジャンル名を取得するステップＳ２０６の処理において、カラオケルーム内に居る人数が少ないと制御部１００が判断した場合、または、カラオケルーム内に居る人の年齢層の幅が狭いと制御部１００が判断した場合、ステップＳ２０８において、制御部２００は、図６の（Ｃ）に示される第３表示形態で楽曲リスト表示ボタン６０２１を表示部２４０に表示する。これにより、ジャンル表示ボタン６００７は常に表示されるため、視覚的強調が弱くなりユーザの練習したい楽曲が選択し易いようにすることが可能である。
【００４９】
第３表示形態の説明においては、楽曲リスト表示ボタン６０２１はランキング表示ボタン６００８の表示領域に表示させたが、その表示領域は、ジャンル表示ボタン６００７、または本人映像表示ボタン６００９の表示領域のいずれかであってもよい。また、ジャンル表示ボタン６００７、ランキング表示ボタン６００８、または本人映像表示ボタン６００９の３つの表示切り替えボタンのいずれかの表示領域において、制御部２００は、楽曲リスト表示ボタン２０２１を表示し、ジャンル表示ボタン６００７、ランキング表示ボタン６００８、または本人映像表示ボタン６００９の３つの表示切り替えボタンの表示領域内を左右にスライド移動できるように表示する。これにより、ジャンル表示ボタン６００７、ランキング表示ボタン６００８、または本人映像表示ボタン６００９の３つの表示切り替えボタンも選択可能な構成としてもよい。
【００５０】
［第４表示形態］
図６の（Ｄ）の示される第４表示形態では、ステップＳ２０８において図６の（Ａ）に示されるランキング表示ボタン６００８および本人映像表示ボタン６００９の２つの表示切り替えボタンの表示領域にＤＢジャンル名に対応する楽曲リスト表示ボタン６０２２が表示される。
【００５１】
ＤＢジャンル名を取得するステップＳ２０６の処理において、ステップＳ２０５で抽出された利用形態情報に従って、利用形態ＤＢから複数のＤＢジャンル名が取得される場合、ステップＳ２０８において、制御部２００は、図６の（Ｄ）に示される第４表示形態で楽曲リスト表示ボタン６０２２を表示する。一例として、複数のＤＢジャンル名が取得された場合、制御部２００は、図６の（Ａ）に示されるランキング表示ボタン６００８および本人映像表示ボタン６００９の２つの表示切り替えボタンの表示領域に、利用形態ＤＢの上位に登録されたＤＢジャンル名に対応付けられた楽曲リスト表示ボタンを表示する。利用形態ＤＢに含まれる「忘年会（友人２０代）」と「忘年会（友人３０代）」とが取得された場合、図２の（Ｂ）に示されるように、制御部２００は、上位に記載されたＤＢジャンル名「忘年会（２０代）」に対応付けられた楽曲リスト表示ボタンをＴＯＰ画面に表示する。そして、制御部２００は、図６の（Ａ）に示されるランキング表示ボタン６００８および本人映像表示ボタン６００９の２つの表示切り替えボタンの表示領域に「忘年会（２０代）」に対応付けられた楽曲リスト表示ボタンを表示する。「忘年会（２０代）」に対応付けられた楽曲リスト表示ボタン以外に取得された「忘年会（友人３０代）」に対応付けられた楽曲リスト表示ボタンは、ジャンル表示ボタン６００７がユーザにより押された場合に表示部２４０に表示される。これにより、ステップＳ２０６で取得された複数のＤＢジャンル名に対応する楽曲リストもユーザに対して視覚的に強調できる。
【００５２】
［その他の表示形態］
上述の第１から第４の表示形態以外の表示形態としては、制御部２００により表示部２４０の表示がＴＯＰ画面に戻される度に、ステップＳ２０６で取得されたＤＢジャンル名に対応付けられた楽曲リスト表示ボタンをポップアップとして表示部２４０の全表示領域に表示し、ユーザの操作により非表示にされるまで他の表示切り替えボタンが隠される表示形態であってもよい。
【００５３】
また、制御部２００は、表示部２４０の表示領域全体にステップＳ２０６で取得されたＤＢジャンル名に対応付けられた楽曲リスト表示ボタンを表示する。表示されたステップＳ２０６で取得されたＤＢジャンル名に対応付けられた楽曲リスト表示ボタンに、図６の（Ａ）に示される第１表示形態の表示を重ねて表示してもよい。これにより、表示切り替えボタンを表示していない余白すべてがステップＳ２０６で取得されたＤＢジャンル名に対応付けられた楽曲リスト表示ボタンとなる。これにより制御部２００は、表示部２４０の表示形態を変更することなく、ステップＳ２０６で取得されたＤＢジャンル名に対応付けられた楽曲リスト表示ボタンを表示する表示領域を確保できる。つまりは、ユーザの操作性を損ねることなく、ユーザの利用形態に合う楽曲リスト表示ボタンを表示部２４０に表示させることができる。
【００５４】
また、図６の（Ａ）に示されるＴＯＰボタン６００１の表示領域の右隣に、ステップＳ２０６で取得されたＤＢジャンル名に対応付けられた楽曲リスト表示ボタンが常に表示されてもよい。上述の複数の表示形態における表示の形態は、複数の形態を組み合わせて表示することも考えられる。
【００５５】
[実施形態の効果]
本実施形態によれば、ログイン処理などによってカラオケルーム内に居るユーザを特定しなくてもカメラ１５０によって撮影された画像からユーザの利用形態を特定し、特定された利用形態に合う楽曲リストを表示しやすくできる。つまりは、表示変更処理を実施するに当たり、ユーザの特別の操作を必要としない。また、ユーザは、利用形態を問われるアンケートに回答したり、複数の表示切り替えボタンを押して楽曲リストを探したりする手間をかけなくてもよい。また、ログインすることなしに、ユーザの利用形態が特定できるため、ユーザＩＤを持つ人と持たない人とが混在するカラオケルームにおいてもユーザの利用形態が自動的に特定できる。ユーザに手間をかけさせず、ユーザの利用形態に合う楽曲リスト表示ボタンをＴＯＰ画面に表示することができるため、ユーザは利用形態に合わせた楽曲リスト表示ボタンを選択しやすい。
【００５６】
また、本実施形態によれば、ジャンル表示ボタン６００７がユーザにより押されると表示されるＤＢジャンル名に対応付けられた楽曲リスト表示ボタンのうち、ユーザの利用形態に合う楽曲リスト表示ボタンが、第２表示形態から第４表示形態までの各表示形態でＴＯＰ画面に表示される。これにより、隠れているユーザの利用形態に合う楽曲リストを表示させる楽曲リスト表示ボタンをユーザに対して視覚的に強調して表示できる。つまり、ユーザが意識してジャンル表示ボタン６００７などの表示切り替えボタンを押して特定の楽曲リストを探さなくても、楽曲リストおよび楽曲リストに含まれる楽曲を選択することが可能になる。
【００５７】
また、新たに追加された楽曲リストの楽曲リスト表示ボタンなどのユーザが気付いていない楽曲リスト表示ボタンは、ユーザが気付くまでに時間がかかり、ユーザにより利用されるまでに時間がかる。しかし、本実施形態においては、制御部２００は、第２表示形態から第４表示形態までの各表示形態で楽曲リスト表示ボタンをＴＯＰ画面に表示する。制御部２００が楽曲リスト表示ボタンをＴＯＰ画面に表示することにより、ユーザが新たに追加された楽曲リストの存在を知らなくても、ユーザの利用形態に合う楽曲リスト表示ボタンがユーザに対して視覚的に強調して表示される。これにより、ユーザは新たに追加された楽曲リストの楽曲リスト表示ボタンなどのユーザが気付いていない楽曲リスト表示ボタンを知ることができ、すぐに、新たに追加された楽曲リストの選択が可能になる。
【００５８】
［特許請求の範囲と実施形態の対応関係］
楽曲再生装置１は楽曲再生装置の一例であり、カラオケ用ホスト３はホストサーバの一例であり、リモコン装置２がリモコン端末の一例であり、これら楽曲再生装置１とリモコン装置２とカラオケ用ホスト３との組み合わせが楽曲検索システムの一例である。カメラ１５０は撮影手段の一例である。制御部１００は、第１抽出手段、取得手段、および第２抽出手段の一例である。制御部２００は表示制御手段の一例である。ＨＤＤ１１０およびＨＤＤ３１は、記憶手段の一例である。楽曲リスト表示ボタンおよびジャンル表示ボタンを表す画像の情報は、楽曲関連情報の一例である。画像認識結果４００２は、ユーザ関連情報の一例である。撮影時間４００３は、時間情報の一例である。利用形態情報４００５は、利用形態情報の一例であり、ＤＢジャンル名２０１１に対応付けられる時期２０１２、時間２０１３、人数２０１４、年齢層２０１５、および性別２０１６の情報は、あらかじめ定められた利用形態情報の一例である。制御部１００は、楽曲再生装置のコンピュータの一例である。ステップＳ２０３は、撮影ステップの一例である。ステップＳ２０５は、第１抽出ステップの一例である。ステップＳ２０２で時間を取得する処理は、取得ステップの一例である。ステップＳ２０６は、第２抽出ステップの一例である。ステップＳ２０８は、表示制御ステップの一例である。
【符号の説明】
【００５９】
１  楽曲再生装置
２  リモコン装置
３  カラオケ用ホスト
４００  アクセスポイント
５００  ネットワーク
３００１  画像
３００２  顔画像
４００２  画像認識結果
４００３  時間情報
４００５  利用形態情報
【図１】
0006394463.tif 000002
【図２】
0006394463.tif 000003
【図３】
0006394463.tif 000004
【図４】
0006394463.tif 000005
【図５】
0006394463.tif 000006
【図６】
0006394463.tif 000007